(57)【特許請求の範囲】
【請求項１】
デジタル放送信号を受信するアンテナからの受信信号を受けて、その受信信号から、特定のデジタル放送チャンネルで放送されている番組の放送データを抽出すると共に、その抽出した放送データをＣＡＴＶシステムにおける何れかのチャンネル（以下、ＣＡＴＶ用チャンネル）の放送信号に変換して、前記ＣＡＴＶシステムの幹線へと出力する選局変換手段と、
該選局変換手段が異常となった場合に、その選局変換手段に代えて用いられる予備の選局変換手段（以下、予備選局変換手段）と、
を備えたＣＡＴＶシステムのヘッドエンドにおいて、
前記選局変換手段が前記受信信号から抽出する放送データの発信元である放送局が、追加番組を放送するためのデジタル放送チャンネルを増設したことを、前記デジタル放送信号に含まれている付加情報に基づき検出する検出手段と、
前記予備選局変換手段が前記選局変換手段に代えて用いられていない場合に、前記検出手段によってデジタル放送チャンネルの増設が検出されると、前記予備選局変換手段を動作させて、該予備選局変換手段に、前記受信信号から、前記増設されたデジタル放送チャンネルで放送されている追加番組の放送データを抽出させると共に、その放送データを、前記選局変換手段が出力する放送信号のＣＡＴＶ用チャンネルとは異なる他のＣＡＴＶ用チャンネルの放送信号に変換させて、前記幹線へと出力させる制御手段と、
該制御手段が前記予備選局変換手段を動作させた場合に、前記選局変換手段から前記幹線へ出力される放送信号の映像に対して、前記他のＣＡＴＶ用チャンネルで前記追加番組の放送を行っている旨を示す案内用映像を重畳させる案内手段と、
を備えていることを特徴とするＣＡＴＶシステムのヘッドエンド。
【発明の詳細な説明】
【０００１】
【発明の属する技術分野】
本発明は、ＣＡＴＶシステムのヘッドエンドに関するものであり、特に、デジタル放送信号を受信するアンテナからの受信信号を受けて、それに含まれている各デジタル放送チャンネルの放送データを所定周波数帯のＣＡＴＶシステム用の放送信号に変換し、その放送信号をＣＡＴＶシステムの幹線へと送出するデジタル放送対応のヘッドエンドに関する。
【０００２】
【従来の技術】
近年、人工衛星を用いたデジタル放送（衛星デジタル放送）の普及が進んでいる。そして、デジタル放送では、放送用の無線伝送路として割り当てられている各無線チャンネル毎に、同時に複数の番組の放送データを多重化して送信でき、また、本来の放送データ（映像データ及び音声データ）に加えて、受信機器がデジタル放送の選局動作を実現するための選局情報（ＰＭＴ：Program Map Table を含むＰＡＴ：Program Association Table など）や、ＥＰＧ（電子プログラムガイド）用の番組情報（いつ、どのデジタル放送チャンネルで、どの様な番組が放送されているかを示すデータ）等を含む付加情報が併せて伝送される。そして、放送衛星（ＢＳ）を用いたデジタル放送（ＢＳデジタル放送）が、平成１２年１２月から本格的に開始される予定である。
【０００３】
尚、本明細書において、デジタル放送チャンネルとは、デジタル放送におけるチャンネルの番号を意味しており、一般にはサービスＩＤのことである。また、１つのサービスＩＤで複数番組分の映像・音声の各エレメンタリーストリーム（ＭＰＥＧ２システムで規定されているパケットであり、以下、ＥＳという）が伝送される「１サービスＩＤ／複数ＥＳ方式」の場合には、サービスＩＤと、そのサービスＩＤの放送データに含まれる各ＥＳを示すパケットＩＤ（以下、ＰＩＤという）とが、デジタル放送チャンネルに該当する。
【０００４】
ここで、例えば、人工衛星からのデジタル放送信号を受信して端末側に伝送するＣＡＴＶシステムを構築する場合、そのヘッドエンドは、以下のような構成を採ることとなる。
まず、ヘッドエンドには、人工衛星の各トランスポンダから送信されて来るデジタル放送信号を受信するアンテナと、そのアンテナからの受信信号を受けて、特定のデジタル放送チャンネルの放送データが含まれているトランスポンダからの受信信号を選局すると共に、その選局した受信信号から前記特定のデジタル放送チャンネルで放送されている番組の放送データを抽出し、該放送データをＣＡＴＶシステムにおける何れかのチャンネル（ＣＡＴＶ用チャンネル）に該当する所定周波数帯のＣＡＴＶシステム用の放送信号に変換して、同軸ケーブルからなる幹線へと出力する選局変換装置とが設けられる。
【０００５】
そして、選局変換装置は、そのＣＡＴＶシステムが端末側へ提供すべきデジタル放送チャンネル毎に、１つずつ設けられることとなる。
また更に、ヘッドエンドには、各選局変換装置の出力などから、それらが正常に動作しているか否かを判定する情報処理装置と、何れかの選局変換装置が異常となった場合に、その選局変換装置に代えて用いられる予備の選局変換装置（以下、予備選局変換装置という）とが設けられることとなる。
【０００６】
そして、情報処理装置は、何れかの選局変換装置が異常になったことを検知すると、例えば、その旨をＣＡＴＶのセンター（以下、ＣＡＴＶセンターという）にいるオペレータへ報知する。この場合、オペレータは、情報処理装置によって異常と判定された選局変換装置の動作を停止させると共に、その選局変換装置が受け持っていたデジタル放送チャンネルに対応するＣＡＴＶシステム用の放送信号が、予備選局変換装置から出力されるように、設定を手動で切り替える。また、オペレータの手を介さずに、情報処理装置が、自動的に設定を切り替えるように構成することも考えられる。
【０００７】
一方、例えばＢＳデジタル放送では、「臨時サービス」や「マルチビューテレビ」といった、アナログ放送には無い新たなサービスの実施が予定されている。
臨時サービスとは、デジタル放送の放送局（放送事業者）が、本来の編成サービスはそのままに、そのビットレートを低減して得られる余裕帯域に新たに臨時のチャンネルを設け、その増設した臨時チャンネルにより、緊急報道番組や延長される生番組等を、追加の臨時番組として放送するものである。
【０００８】
具体例を挙げると、図６に例示するように、まず、ある放送局の本来の番組編成では、サービスＩＤ＝１０１のデジタル放送チャンネルによって、時刻ｔ１から時刻ｔ２までの間、ＨＤＴＶ（High Definition television：高品位テレビ）方式で野球中継の番組を放送し、次の時刻ｔ２から時刻ｔ３までの間、ＨＤＴＶ方式で映画の番組を放送する予定であったとする。
【０００９】
ここで、野球の試合が時刻ｔ２までに終了せずに、その野球中継の番組を延長放送する場合、放送局は、まず、時刻ｔ２からの本来の通常番組である映画を、通常レート（通常のビットレート）のＨＤＴＶ方式よりもビットレートが低い低レートのＨＤＴＶ方式で放送する。そして更に、それまでに無かった臨時のサービスＩＤ（図６の例では１０２）を追加して、そのサービスＩＤ＝１０２のデジタル放送チャンネルにより、時刻ｔ２から任意の時刻ｔ２’まで（通常、野球の試合が終わるまで）の間、野球中継の番組をＳＤＴＶ（Standard television ：標準テレビ）方式で放送する。
【００１０】
つまり、この例では、本来は通常レートのＨＤＴＶ方式である通常番組の放送を低レート化することで、ＳＤＴＶ方式の臨時チャンネルを１つ増設し、その増設した臨時チャンネルによって、延長される番組を臨時番組として放送するのである。尚、データ量で比較すると、通常レートのＨＤＴＶ方式は、ＳＤＴＶ方式の３チャンネル分に相当し、低レートのＨＤＴＶ方式は、ＳＤＴＶ方式の２チャンネル分に相当する。
【００１１】
そして、その後、時刻ｔ２’で臨時番組の放送が終了すると、その時点から、通常番組である映画を、通常レートのＨＤＴＶ方式で放送する。
また、放送局側では、デジタル放送信号に含まれる付加情報を操作することにより、上記のような臨時サービスの開始と終了とを受信機器が認識できるようにする。
【００１２】
具体的に説明すると、放送局側では、臨時サービスを開始した時に、デジタル放送信号に含まれるＰＡＴを更新して、そのＰＡＴに臨時のサービスＩＤを追加し、また、臨時サービスを終了する時には、ＰＡＴから臨時のサービスＩＤを消去する。このため、受信機器側では、デジタル放送信号に付加情報として含まれているＰＡＴをモニタすることにより、ある放送局が臨時番組用のデジタル放送チャンネル（上記例では、臨時のサービスＩＤ＝１０２）を増設したことを検出することができる。
【００１３】
一方、図７に例示するように、マルチビューテレビとは、１サービスＩＤ／複数ＥＳ方式での運用を前提として、ＨＤＴＶ方式の１つのチャンネルを、最大３つのＳＤＴＶ方式のチャンネルに分割することにより、１つのサービス内で関連する複数の内容を同時に放送するアプリケーションである。そして、複数のＳＤＴＶ方式のチャンネルのうち、１つがメイン番組用のチャンネル（メインチャンネル）として用いられ、他が追加のサブ番組用のチャンネル（サブチャンネル）として用いられる。
【００１４】
具体例を挙げると、ゴルフ中継などにおいて、総合の内容（総合放送）をメイン番組として放送すると共に、１７番ホールの状況を一方のサブ番組として放送し、また、１８番ホールの状況を他方のサブ番組として放送する、といった運用が考えられる。
【００１５】
例えば、ある放送局が、時刻ｔ１０から、サービスＩＤ＝１０１且つＰＩＤ＝５００のデジタル放送チャンネルによって、ゴルフ中継の総合放送をＨＤＴＶ方式で開始したとする。そして、時刻ｔ１１にて、その放送局により、マルチビューテレビの実施が開始されると、総合放送は、サービスＩＤ＝１０１且つＰＩＤ＝５０１のデジタル放送チャンネル（メインチャンネル）により、ＳＤＴＶ方式のメイン番組として継続され、また、例えば１７番ホールの状況が、サービスＩＤ＝１０１且つＰＩＤ＝５０２のデジタル放送チャンネル（１つ目のサブチャンネル）により、ＳＤＴＶ方式のサブ番組ａとして放送される。また更に、例えば他の１８番ホールの状況が、サービスＩＤ＝１０１且つＰＩＤ＝５０３のデジタル放送チャンネル（２つ目のサブチャンネル）により、ＳＤＴＶ方式のサブ番組ｂとして放送される。
【００１６】
その後、時刻ｔ１２にて、マルチビューテレビの実施が終了すると、時刻ｔ１０〜時刻ｔ１１までの間と同様に、サービスＩＤ＝１０１且つＰＩＤ＝５００のデジタル放送チャンネルによって、ゴルフ中継の総合放送（或いは他の番組）がＨＤＴＶ方式で行われる。
【００１７】
また、放送局側では、デジタル放送信号に含まれる付加情報を操作することにより、上記のようなマルチビューテレビの開始と終了とを受信機器が認識できるようにする。
具体的に説明すると、放送局側では、マルチビューテレビを開始した時に、デジタル放送信号に含まれるＰＭＴ内のサービスＩＤとＰＩＤとの編成を、図７の時刻ｔ１１〜ｔ１２に例示したように、１つのサービスＩＤに対して複数のＰＩＤが従属するように変更する。また、マルチビューテレビを終了する時には、ＰＭＴ内のサービスＩＤとＰＩＤとの編成を、１つのサービスＩＤに対してデフォルト値のサービスＩＤ（図７の例では、ＰＩＤ＝５００）だけが存在する元の状態に戻す。
【００１８】
このため、受信機器側では、デジタル放送信号に付加情報として含まれているＰＡＴをモニタすることにより、ある放送局がマルチビューテレビのサブ番組用のデジタル放送チャンネル（上記例では、サービスＩＤ＝１０１且つＰＩＤ＝５０２のチャンネルと、サービスＩＤ１０１且つＰＩＤ＝５０３のチャンネル）を増設したことを検出することができる。尚、マルチビューテレビが開始されると、受信機器側では、複数のＰＩＤのうち、番号が一番小さいもの（図７の例では、ＰＩＤ＝５０１）を、それまでのデフォルト値のＰＩＤに相当するメインチャンネルであると見なすこととなる。
【００１９】
【発明が解決しようとする課題】
上記のような臨時サービスやマルチビューテレビのサービスでは、そのサービスを実施するデジタル放送の放送局が、所望のタイミングでデジタル放送チャンネルを増設し、その増設したデジタル放送チャンネルにより、臨時番組やマルチビューテレビのサブ番組といった追加番組を放送することとなる。
【００２０】
このため、デジタル放送対応のＣＡＴＶシステムのヘッドエンドにおいて、そのような臨時サービスやマルチビューテレビによって増加される追加番組（臨時番組やサブ番組）をも、ＣＡＴＶシステムの加入者へ提供するためには、選局変換装置を、故障時バックアップ用の予備選局変換装置とは別に、予め余分に用意しておく必要が生じる。
【００２１】
しかし、臨時サービスやマルチビューテレビのサービスは、常時行われるものではないため、そのようなサービスのために選局変換装置を余分に設けておくのはコスト的に不利な面がある。
そこで、本発明は、デジタル放送対応のＣＡＴＶシステムのヘッドエンドにおいて、設備（特に選局変換装置）を増設することなく、そのＣＡＴＶシステムの加入者に対するサービスを向上させることを目的としている。
【００２２】
【課題を解決するための手段及び発明の効果】
上記目的を達成するためになされた請求項１に記載の本発明のＣＡＴＶシステムのヘッドエンドは、デジタル放送に対応したものであり、選局変換手段を備えている。そして、選局変換手段は、前述した選局変換装置に相当するものであり、デジタル放送信号を受信するアンテナからの受信信号を受けて、その受信信号から、特定のデジタル放送チャンネルで放送されている番組の放送データを抽出すると共に、その抽出した放送データを、ＣＡＴＶシステムにおける何れかのチャンネル（以下、ＣＡＴＶ用チャンネルという）の放送信号に変換して、前記ＣＡＴＶシステムの幹線へと出力する。
【００２３】
そして更に、このヘッドエンドは、前記選局変換手段が異常となった場合に、その選局変換手段に代えて用いられる予備の選局変換手段（以下、予備選局変換手段という）を備えている。この予備選局変換手段は、前記選局変換手段と基本的に同じ構成のものであり、例えば、当該ヘッドエンドに設けられた異常判定手段としての情報処理装置により、選局変換手段が異常であると判定されると、その異常な選局変換手段に成り代わって動作させられるものである。尚、異常と判定された選局変換手段から予備選局変換手段への切替は、情報処理装置が自動的に行うように構成することができる。また、その切替をＣＡＴＶセンターのオペレータが手動で行うようにしても良い。
【００２４】
ここで特に、本発明のヘッドエンドは、前記選局変換手段が前記受信信号から抽出する放送データの発信元である放送局が、追加番組を放送するためのデジタル放送チャンネルを増設したことを、前記デジタル放送信号に含まれている付加情報に基づき検出する検出手段と、制御手段及び案内手段とを備えている。尚、追加番組とは、前述した臨時サービスでの臨時番組やマルチビューテレビでのサブ番組などである。
【００２５】
そして、制御手段は、予備選局変換手段が前記選局変換手段に代えて用いられていない場合に、前記検出手段によってデジタル放送チャンネルの増設が検出されると、予備選局変換手段を動作させて、該予備選局変換手段に、前記アンテナからの受信信号から、前記増設されたデジタル放送チャンネルで放送されている追加番組の放送データを抽出させると共に、その放送データを、前記選局変換手段が出力する放送信号のＣＡＴＶ用チャンネルとは異なる他のＣＡＴＶ用チャンネルの放送信号に変換させて、前記幹線へと出力させる。
【００２６】
そして更に、制御手段が予備選局変換手段を動作させると、案内手段が、前記選局変換手段から前記幹線へ出力される放送信号の映像に対して、前記他のＣＡＴＶ用チャンネルで前記追加番組の放送を行っている旨を示す案内用映像を重畳させる。
【００２７】
このため、ＣＡＴＶシステムの加入者は、前記選局変換手段が幹線に出力する放送信号のＣＡＴＶ用チャンネルを選局して、そのチャンネルの番組を視聴している際に、上記案内手段による案内用画像がテレビモニタに表示されることにより、前記他のＣＡＴＶ用チャンネルで臨時番組やマルチビューテレビのサブ番組といった追加番組が放送されていることを知ることができる。
【００２８】
つまり、本発明のヘッドエンドでは、選局変換手段が故障した場合には、予備選局変換手段を本来の用途である故障時バックアップ用として用いることにより、故障した選局変換手段が受け持っていたデジタル放送チャンネルに対応するＣＡＴＶシステム用の放送信号が幹線へと正常に送出されるようにするが、予備選局変換手段が故障時バックアップ用として用いられていない場合には、予備選局変換手段を、選局変換手段が受け持っているデジタル放送チャンネルの放送局が増設する追加番組をＣＡＴＶシステムで放送するために用いるようにしている。
【００２９】
よって、本発明のヘッドエンドによれば、選局変換手段としての装置を増設することなく、臨時サービスやマルチビューテレビによる追加番組をＣＡＴＶシステムの加入者に提供することができ、加入者に対するサービスを向上させることができる。
【００３０】
【発明の実施の形態】
以下に本発明の実施例を図面と共に説明する。
まず図１は、本発明が適用された実施例のＣＡＴＶシステムのヘッドエンド１の構成を表す構成図である。
【００３１】
本実施例のヘッドエンド１は、地上の放送局から宇宙の放送衛星（以下、ＢＳという）の各トランスポンダを介して中継されて送信されて来るデジタル放送信号を受信する受信アンテナ（以下、単にアンテナという）３と、当該ヘッドエンド１を制御する情報処理装置としてのパーソナルコンピュータ（以下、ＰＣという）５とを備えている。
【００３２】
尚、ＢＳのトランスポンダは、ＢＳデジタル放送用の無線伝送路として割り当てられている１２ＧＨｚ帯の第１，第３，第１３，及び第１５の各無線チャンネル毎に、１つずつ存在している。また、アンテナ３は、反射鏡３ａと、支持腕３ｂを介して反射鏡３ａの焦点位置に配置された受信部３ｃとからなる、オフセット型のパラボラアンテナである。そして、受信部３ｃは、反射鏡３ａにて集波された各トランスポンダからのデジタル放送信号（放送電波）を受信すると共に、その受信した信号を１ＧＨｚ帯の中間周波信号（以下、ＢＳ−ＩＦという）に周波数変換して、受信信号として出力する。
【００３３】
そして更に、本実施例のヘッドエンド１は、アンテナ３からの受信信号（即ち、上記受信部３ｃから出力されるＢＳ−ＩＦ）を受けて、その受信信号から、ＰＣ５により指定されたサービスＩＤ及びＰＩＤで示されるデジタル放送チャンネルにて放送されている番組の放送データを抽出すると共に、その抽出した放送データを、当該ＣＡＴＶシステムにおける伝送周波数（例えば９０〜７７０ＭＨｚ）内の何れかのチャンネル（ＣＡＴＶ用チャンネル）に該当する所定周波数帯（帯域幅６ＭＨｚ）のテレビ放送信号（即ち、ＣＡＴＶシステム用の放送信号）に変換して出力する複数の選局変換装置７−１〜７−ｎと、それら選局変換装置７−１〜７ｎと同じ構成を有した予備の選局変換装置（以下、予備装置という）９と、アンテナ３からの受信信号を分配して各選局変換装置７−１〜７−ｎと予備装置９との各々に供給する分配回路１１と、各選局変換装置７−１〜７−ｎと予備装置９との出力を混合して、当該ＣＡＴＶシステムの同軸ケーブルからなる幹線（基幹伝送路）１３へと送出する混合出力回路（ＭＩＸ）１５とを備えている。
【００３４】
尚、選局変換装置７−１〜７−ｎは、当該ＣＡＴＶシステムが端末側へと提供すべきＢＳデジタル放送の各チャンネル（デジタル放送チャンネル）毎に、１つずつ設けられている。また、予備装置９は、選局変換装置７−１〜７−ｎの何れかが異常となった場合に、その異常となった選局変換装置に代えて用いられるものであり、通常時においては、混合出力回路１５へ信号を出力しないように設定される。また更に、図１において、予備装置９は１つのみ図示しているが、本実施例のヘッドエンド１は、予備装置９を２つ備えている。そして、以下の説明において、予備装置９の各々を特に区別する場合には、それらの符号として「９−１」と「９−２」を用いる。
【００３５】
一方更に、本実施例のヘッドエンド１には、ＶＨＦアンテナ４３と、ＵＨＦアンテナ４５と、それら両アンテナ４３，４５の受信信号を混合して混合出力回路１５へ供給する混合器４７とが設けられている。そして、本ヘッドエンド１においては、ＶＨＦアンテナ４３とＵＨＦアンテナ４５との各々によって受信される地上波も、混合出力回路１５から幹線１３に送出される。
【００３６】
次に、選局変換装置７−１〜７−ｎと予備装置９とについて具体的に説明する。尚、前述したように、予備装置９も選局変換装置７−１〜７−ｎの各々と同じものであるため、以下の説明においては、選局変換装置７−１〜７−ｎの各々と予備装置９とを総称して、選局変換装置７という。
【００３７】
図２に示すように、選局変換装置７は、ＰＣ５との間でデータをやり取りしつつ当該選局変換装置７を制御するマイクロコンピュータ（以下、ＣＰＵという）２１と、アンテナ３からのＢＳ−ＩＦが入力されるチューナモジュール２３と、ＣＡデスクランブル部２５，ＭＰＥＧ２デマルチプレクサ（ＭＰＥＧ２−ＤＥＭＵＸ）２７，アナログ映像信号生成部２９，アナログ音声信号生成部３１，オンスクリーンディスプレイ制御部（以下、ＯＳＤ制御部という）３２，及び変調部３３とを備えている。
【００３８】
ここで、ＣＰＵ２１は、各選局変換装置７毎のＲＳ２３２Ｃケーブル１７を介して、図１に示す如く、ヘッドエンド１に設けられている信号変換器１９と接続され、その信号変換器１９は、ＰＣ５から伸びたＵＳＢケーブル２０に接続されている。つまり、信号変換器１９は、ＰＣ５からＵＳＢケーブル２０に出力されるデータ信号を、ＲＳ２３２Ｃ規格の信号に変換して、各選局変換装置７のＣＰＵ２１に出力し、また、各選局変換装置７のＣＰＵ２１からＲＳ２３２Ｃケーブル１７の各々に出力されるデータ信号を、ＵＳＢ規格の信号に変換して、ＰＣ５に出力する。
【００３９】
そして、選局変換装置７においては、ＰＣ５から、上記ＵＳＢケーブル２０，信号変換器１９，及びＲＳ２３２Ｃケーブル１７を介して、ＣＰＵ２１へ、当該選局変換装置７がＣＡＴＶシステム用の放送信号に変換すべきＢＳデジタル放送データのサービスＩＤ及びＰＩＤ（以下、この各ＩＤを総称して受信対象ＩＤという）と、その受信対象ＩＤの放送を、当該ＣＡＴＶシステムにおける伝送周波数内のどのＣＡＴＶ用チャンネルの放送信号に変換するかを示す出力チャンネルとが指示される。
【００４０】
すると、ＣＰＵ２１は、ＰＣ５から指示された受信対象ＩＤ（サービスＩＤ及びＰＩＤ）をＭＰＥＧ２デマルチプレクサ２７へ通達すると共に、その受信対象ＩＤの放送データを含んだデジタル放送信号を出力しているトランスポンダのトランスポンダ番号（即ち、上記第１，第３，第１３，及び第１５の４つの無線チャンネルのうちの何れかであり、以下、このトランスポンダ番号のことを「無線チャンネル」ともいう）を特定して、チューナモジュール２３へ、ＢＳ−ＩＦから上記特定した無線チャンネルの信号を選局させるための制御信号を出力する。また、ＣＰＵ２１は、ＰＣ５から指示された出力チャンネルを変調部３３に通達する。
【００４１】
そして、チューナモジュール２３は、ＣＰＵ２１からの上記制御信号に従い、ＢＳ−ＩＦから、受信対象ＩＤの放送データが含まれている無線チャンネルの信号を選局すると共に、その選局した信号を、周知の復調及び復号化により、デジタルデータのビットストリームであるトランスポートストリーム（以下、ＴＳという）に変換して出力する。
【００４２】
また、チューナモジュール２３は、ＴＳへの変換を行う際に、データの誤り検出及び訂正の処理も行っており、その誤り検出で得たデータの誤り率を示すビットエラー情報を、ＣＰＵ２１へ出力する。そして、ＣＰＵ２１は、そのビットエラー情報を、上記ＲＳ２３２Ｃケーブル１７，信号変換器１９，及びＵＳＢケーブル２０を介して、ＰＣ５に送信する。
【００４３】
尚、ＴＳには、該当する無線チャンネルで伝送される複数のサービスＩＤ及びＰＩＤの放送データ（映像データ及び音声データ）だけではなく、他の付加情報（詳しくは、付加情報のデータ）も多重化されており、その付加情報には、記述した選局情報（ＰＡＴ及びＰＭＴなど）やＥＰＧ用の番組情報が含まれている。
【００４４】
チューナモジュール２３から出力されるＴＳは、ＣＡ（コンディショナルアクセスシステム）用のＣＡデスクランブル部２５に入力される。そして、そのＴＳは、それが有料放送等でスクランブルされいているビットストリームであれば、このＣＡデスクランブル部２５にて、正規のビットストリームに戻された後、ＭＰＥＧ２デマルチプレクサ２７に入力される。尚、チューナモジュール２３からのＴＳがスクランブルされていないものであれば、そのＴＳは、ＣＡデスクランブル部２５をそのまま通過して、ＭＰＥＧ２デマルチプレクサ２７に入力される。
【００４５】
ＭＰＥＧ２デマルチプレクサ２７は、ＣＡデスクランブル部２５からのＴＳをデコードして、そのＴＳから、ＣＰＵ２１より通達された受信対象ＩＤの放送データである映像データ及び音声データの各々と、上記付加情報とを分離して抽出する。そして更に、ＭＰＥＧ２デマルチプレクサ２７は、上記抽出した受信対象ＩＤの映像データと音声データとを、夫々、アナログ映像信号生成部２９とアナログ音声信号生成部３１とに出力すると共に、上記抽出した付加情報をＣＰＵ２１に出力する。
【００４６】
そして、アナログ映像信号生成部２９は、ＭＰＥＧ２デマルチプレクサ２７からの映像データをアナログの映像信号（ＮＴＳＣ信号）に変換してＯＳＤ制御部３２へ出力する。
ＯＳＤ制御部３２は、ＣＰＵ２１により制御されて、アナログ映像信号生成部２９からのアナログ映像信号に任意の画像を重畳（スーパーインポーズ）させるものであり、ＣＰＵ２１から指示を受けていない通常時には、アナログ映像信号生成部２９からのアナログ映像信号をそのまま変調部３３へ出力する。
【００４７】
また、アナログ音声信号生成部３１は、ＭＰＥＧ２デマルチプレクサ２７からの音声データをアナログの音声信号に変換して変調部３３へ出力する。
そして、変調部３３は、ＯＳＤ制御部３２からのアナログ映像信号と、アナログ音声信号生成部３１からのアナログ音声信号とを、ＣＰＵ２１より通達された出力チャンネルに該当する周波数帯のテレビ放送信号（ＣＡＴＶシステム用の放送信号）に再変調して、混合出力回路１５へと出力する。尚、変調部３３は、音声に関する変調動作が、ＣＰＵ２１からの音声モード切換信号によって制御されるようになっている。
【００４８】
ところで、ＣＰＵ２１は、当該選局変換装置７に電源が投入された初期動作時であって、ＰＣ５から未だ受信対象ＩＤが指示されていない時に、上記４つの無線チャンネルのうちのデフォルトの無線チャンネルをチューナモジュール２３に選局させて、その際に、ＭＰＥＧ２デマルチプレクサ２７から出力される付加情報を記憶する。
【００４９】
そして、ＣＰＵ２１は、ＰＣ５から受信対象ＩＤが指示されると、上記初期動作時に記憶した付加情報に基づいて、その受信対象ＩＤの放送データを含んだデジタル放送信号を出力しているトランスポンダのトランスポンダ番号（無線チャンネル）を特定し、その特定した無線チャンネルをチューナモジュール２３に選局させる。つまり、付加情報には、選局情報として、どのサービスＩＤ及びＰＩＤの放送データがどの無線チャンネルで送信されているのかを示すデータが含まれているからである。
【００５０】
また、その後、ＣＰＵ２１は、ＭＰＥＧ２デマルチプレクサ２７から逐次出力される最新の付加情報を、上記チューナモジュール２３からのビットエラー情報と共に、ＲＳ２３２Ｃケーブル１７，信号変換器１９，及びＵＳＢケーブル２０を介して、ＰＣ５に出力する。
【００５１】
以上のような選局変換装置７を複数備えた本実施例のヘッドエンド１において、ＰＣ５は、通常時には、予備装置９以外の各選局変換装置７−１〜７−ｎのＣＰＵ２１へ、当該ＣＡＴＶシステムが端末側へ提供すべきＢＳデジタル放送の各サービスＩＤ及びＰＩＤを、受信対象ＩＤとして夫々指示すると共に、その受信対象ＩＤの各々に対応した出力チャンネルを指示する。また、予備装置９については、電源供給自体を遮断するか、或いは、その予備装置９のＣＰＵ２１へ該予備装置９の各部の動作を停止させる指令を与える。
【００５２】
このため、通常時には、選局変換装置７−１〜７−ｎの各々から混合出力回路１５へ、各受信対象ＩＤの放送データを夫々当該ＣＡＴＶシステム用に再変調した各ＣＡＴＶ用チャンネルのテレビ放送信号が出力され、その各ＣＡＴＶ用チャンネルのテレビ放送信号が混合出力回路１５により混合されて、幹線１３へと送出されることとなる。
【００５３】
一方また、本実施例のヘッドエンド１には、各選局変換装置７−１〜７−ｎが正常に動作しているか否かをＰＣ５にて判定するために、図１に示す如く、チューナ３５と、混合出力回路１５から幹線１３に送出される信号（以下、幹線信号という）を分岐させてチューナ３５に入力させる分岐回路３７とが設けられている。
【００５４】
そして、チューナ３５は、図３に示すように、幹線信号から、ＰＣ５より出力される選局信号によって指示されるＣＡＴＶ用チャンネルのテレビ放送信号を選局する選局部３９と、該選局部３９によって選局された信号からアナログの映像信号を取り出して、その映像信号に同期信号が正常に含まれているか否かを判定すると共に、その判定結果を示す同期信号の有／無信号をＰＣ５に出力する同期信号検出部４１とから構成されている。尚、同期信号検出部４１は、同期信号の有／無信号として、例えば、上記映像信号に同期信号が正常に含まれていればハイレベルの信号を、そうでなければロウレベルの信号を出力する。
【００５５】
そして更に、本実施例のヘッドエンド１において、ＰＣ５は、図４に示す異常監視処理を行うことにより、各選局変換装置７−１〜７−ｎが正常に動作しているか否かを常時監視している。
尚、図４の異常監視処理は、各選局変換装置７−１〜７−ｎの１つずつについて順繰りに実行される。また、以下の図４に関する説明において、各選局変換装置７−１〜７−ｎのうち、現在監視対象としている選局変換装置を、監視対象の選局変換装置という。一方、図示はしていないが、ＰＣ５は、各選局変換装置７−１〜７−ｎのＣＰＵ２１から送られて来る前述の付加情報を夫々更新して記憶する、付加情報記憶処理も定期的に行っている。
【００５６】
図４に示すように、ＰＣ５で実行される異常監視処理では、まず最初のステップ（以下、単にＳと記す）１１０にて、今回の監視対象の選局変換装置から出力されているテレビ放送信号に、同期信号が正常に含まれているか否かを監視する。
【００５７】
具体的には、監視対象の選局変換装置が出力しているＣＡＴＶ用チャンネル（即ち、監視対象の選局変換装置のＣＰＵ２１に指示している出力チャンネル）のテレビ放送信号を、チューナ３５の選局部３９に選局させ、その際にチューナ３５の同期信号検出部４１から出力される同期信号の有／無信号をモニタする。
【００５８】
そして、続くＳ１２０にて、上記同期信号の有／無信号に基づいて、監視対象の選局変換装置から出力されているテレビ放送信号に同期信号が正常に含まれているか否かを判定し、同期信号が正常に含まれていれば、今回の監視対象の選局変換装置が正常に動作していると判断して、監視対象の選局変換装置を切り替え、上記Ｓ１１０及びＳ１２０の処理を行う。
【００５９】
一方、Ｓ１２０にて、監視対象の選局変換装置から出力されているテレビ放送信号に同期信号が正常に含まれていないと判定した場合には、監視対象の選局変換装置の出力が停波していることから、Ｓ１３０に進んで、監視対象の選局変換装置のＣＰＵ２１に指示している受信対象ＩＤを取得し、続くＳ１４０にて、現在の時刻を取得する。
【００６０】
そして更に、続くＳ１５０にて、上記付加情報記憶処理によって記憶している最新の付加情報のうちの番組情報を解析する。尚、この時に、ＰＣ５は、各選局変換装置７−１〜７−ｎのうち、監視対象の選局変換装置のＣＰＵ２１から取得している最新の番組情報を解析するが、監視対象の選局変換装置以外の選局変換装置から取得している番組情報を用いることも可能である。
【００６１】
そして、続くＳ１６０にて、Ｓ１５０での解析結果と現在時刻とから、監視対象の選局変換装置のＣＰＵ２１に指示している受信対象ＩＤ（詳しくは、その受信対象ＩＤのデジタル放送）が、現在、放送局から実際に放送中であるか否かを判定する。
【００６２】
ここで、Ｓ１６０にて、受信対象ＩＤが現在放送中でないと判定した場合には、監視対象の選局変換装置がＣＡＴＶシステム用のテレビ放送信号に変換しているデジタル放送自体がその時点で存在せず、監視対象の選局変換装置の出力が停波したのは異常ではないと判断する。そして、この場合には、監視対象の選局変換装置を切り替えて、上記Ｓ１１０からの処理を再び行う。
【００６３】
これに対し、Ｓ１６０にて、受信対象ＩＤが現在放送中であると判定した場合には、監視対象の選局変換装置に異常が生じていると判断して、Ｓ１７０に進む。
このＳ１７０では、監視対象の選局変換装置のＣＰＵ２１から送られて来ている前述のビットエラー情報から、その監視対象の選局変換装置のチューナモジュール２３が選局している信号のＣ／Ｎ（ＣＮ比）をマップ補間などの手法によって算出すると共に、その算出したＣ／Ｎが、正常と見なされる所定値以上であるか否かを判定する。尚、各選局変換装置７−１〜７−ｎのＣＰＵ２１が、チューナモジュール２３からのビットエラー情報に基づきＣ／Ｎを算出して、そのＣ／Ｎの値を表すデータをＰＣ５へ送信するようにしても良い。この場合、ＰＣ５は、Ｓ１７０にて、監視対象の選局変換装置のＣＰＵ２１からＣ／Ｎの値を取得するだけでよく、Ｃ／Ｎの算出を行う必要が無くなる。
【００６４】
そして、上記Ｓ１７０にて、Ｃ／Ｎが所定値以上であると判定した場合には、監視対象の選局変換装置にてトランスポンダからのデジタル放送信号は正常に受信できているものの、その選局変換装置から幹線１３への出力が停波していることから、Ｓ１８０に進んで、その時の監視対象の選局変換装置（即ち、異常と判断した選局変換装置）と、その選局変換装置におけるチューナモジュール２３よりも後段の部分に異常が生じていることとを示す第１種の異常通報を行う。尚、この第１種の異常通報は、例えば、ヘッドエンド１が設けられているＣＡＴＶセンター内のランプやブザーなどを作動させたり、当該ＰＣ５に接続されたディスプレイに表示を行うことにより実施される。
【００６５】
また、上記Ｓ１７０にて、Ｃ／Ｎが所定値以下であると判定した場合には、Ｓ１９０に移行して、その時の監視対象の選局変換装置（即ち、異常と判断した選局変換装置）と、アンテナ３からその選局変換装置までの間の伝送路又は機器に異常が生じていることとを示す第２種の異常通報を行う。尚、この第２種の異常通報も、例えば、ＣＡＴＶセンター内のランプやブザーなどを作動させたり、当該ＰＣ５に接続されたディスプレイに表示を行うことにより実施される。
【００６６】
そして、ＰＣ５は、上記Ｓ１８０及びＳ１９０の何れかの報知処理を行った後、Ｓ２００に進んで、上記Ｓ１６０にて異常であると判定した選局変換装置に代えて、予備装置９を動作させる。
具体的には、まず、異常であると判定した選局変換装置への電源供給自体を遮断するか、その選局変換装置のＣＰＵ２１に、該装置の各部の動作を停止させる。そして、予備装置９に電源を供給すると共に、該予備装置９のＣＰＵ２１へ、異常と判定した選局変換装置のＣＰＵ２１へ指示していた受信対象ＩＤ及び出力チャンネルと全く同じ、受信対象ＩＤと出力チャンネルとを指示する。これにより、予備装置９は、故障時バックアップ用として用いられ、異常と判定された選局変換装置に代わって動作することとなる。
【００６７】
その後、ＰＣ５は、監視対象の選局変換装置を切り替えて、上記Ｓ１１０からの処理を再び行う。
一方更に、本実施例のヘッドエンド１において、ＰＣ５は、図４の異常監視処理と並行して、図５に示す追加番組対応処理を行うことにより、前述した臨時サービスやマルチビューテレビのサービスにも対応できるようにしている。
【００６８】
尚、図５の追加番組対応処理は、各選局変換装置７−１〜７−ｎの１つずつについて夫々実行される。また、以下の追加番組対応処理に関する説明において、「処理対象の選局変換装置」とは、その追加番組対応処理が処理の対象としている１つの選局変換装置（７−１〜７−ｎの何れか）のことである。
【００６９】
図５に示すように、ＰＣ５で実行される追加番組対応処理では、まずＳ２１０にて、故障時バックアップ用に用いられていない非動作状態の予備装置９（以下、空きの予備装置９、或いは、空いている予備装置９という）があるか否かを判定する。そして、空きの予備装置９がなければ（Ｓ２１０：ＮＯ）、そのまま待ち、空きの予備装置９があれば（Ｓ２１０：ＹＥＳ）、続くＳ２２０にて、前述の付加情報記憶処理により記憶している最新の付加情報（特に選局情報としてのＰＡＴ及びＰＭＴ）を解析することにより、処理対象の選局変換装置に指示している受信対象ＩＤの放送データの発信元である放送局（放送事業者）が、臨時サービスやマルチビューテレビのためにデジタル放送チャンネルを増設したか否かを判定する。尚、この時に、ＰＣ５は、処理対象の選局変換装置のＣＰＵ２１から取得している最新の付加情報を解析する。
【００７０】
このＳ２２０にて、デジタル放送チャンネルが増設されていないと判定した場合には、Ｓ２１０，Ｓ２２０の判定処理を再び行う。
そして、Ｓ２２０にて、デジタル放送チャンネルが増設されたと判定した場合には、Ｓ２３０に進んで、空きの予備装置９に、上記Ｓ２２０で増設されたことを検出したデジタル放送チャンネルを担当させる（割り当てる）。
【００７１】
つまり、空いている予備装置９に電源を供給し、更に、その予備装置９のＣＰＵ２１へ、増設されたデジタル放送チャンネルに該当するサービスＩＤ及びＰＩＤを、受信対象ＩＤとして指示すると共に、ＣＡＴＶシステムにて現在未使用のＣＡＴＶ用チャンネルを、出力チャンネルとして指示する。これにより、予備装置９は、ＢＳ−ＩＦから、上記放送局が増設したデジタル放送チャンネルで放送している追加番組の放送データを抽出すると共に、その放送データを、それまで未使用であったＣＡＴＶ用チャンネル（以下、このＣＡＴＶ用チャンネルを「追加チャンネル」という）の放送信号に変換して出力することとなる。そして、その追加チャンネルの放送信号は、混合出力回路１５を介して幹線１３へと送出される。
【００７２】
そして更に、ＰＣ５は、続くＳ２４０にて、処理対象の選局変換装置のＣＰＵ２１を介して、その選局変換装置に設けられているＯＳＤ制御部３２を制御することにより、その処理対象の選局変換装置から幹線１３へ出力される放送信号の映像部分に、上記追加チャンネルで追加番組の放送を行っている旨を示す案内用映像を重畳（スーパーインポーズ）させる、スーパーインポーズ処理を行う。
【００７３】
このため、ＣＡＴＶシステムの加入者は、上記処理対象の選局変換装置が幹線１３に出力する放送信号のＣＡＴＶ用チャンネルを選局して該ＣＡＴＶ用チャンネルの番組を視聴している際に、上記案内用画像がテレビモニタに重畳表示されることにより、上記追加チャンネルで臨時番組やマルチビューテレビのサブ番組といった追加番組が現在放送されていることを知ることができる。
【００７４】
その後、ＰＣ５は、次のＳ２５０にて、上記Ｓ２２０と同様に、付加情報記憶処理により記憶している最新の付加情報を解析することにより、処理対象の選局変換装置に指示している受信対象ＩＤの放送データの発信元である放送局が、デジタル放送チャンネルの増設を解除したか（つまり、臨時サービスやマルチビューテレビのサービスを終了したか）否かを判定する。
【００７５】
そして、デジタル放送チャンネルの増設が解除されたと判定すると（Ｓ２５０：ＹＥＳ）、Ｓ２６０に進んで、上記Ｓ２３０で制御していた予備装置９の動作を停止させると共に、上記Ｓ２４０の処理によるスーパーインポーズを解除し、その後、Ｓ２１０以降の処理を再び行う。
【００７６】
次に、このような追加番組対応処理の作用について、図６に例示した臨時サービスの場合を挙げて具体的に説明する。尚、ここでは、ＰＩＤは無視するものとする。また、空いている予備装置９が存在しているものとする。
まず、図６において、サービスＩＤ＝１０１の放送データの発信元が、放送局Ａであり、その放送局Ａが、時刻ｔ２〜ｔ２’の間、臨時番組（この例では、延長される野球中継）を放送するためのデジタル放送チャンネルとして、臨時のサービスＩＤ＝１０２を増設したとする。
【００７７】
また、ヘッドエンド１では、例えば、選局変換装置７−１が、ＢＳ−ＩＦからサービスＩＤ＝１０１の放送データを抽出し、その放送データを“Ｃ１３“というチャンネル番号のＣＡＴＶ用チャンネルのテレビ放送信号に変換して出力しているものとする。
【００７８】
この場合、図６の時刻ｔ２にて、放送局Ａが臨時のサービスＩＤ＝１０２を増設すると、ヘッドエンド１のＰＣ５では、選局変換装置７−１を処理対象とする追加番組対応処理のＳ２２０にて、最新のＰＡＴに基づき、サービスＩＤ＝１０２が増設されたことを検出する。そして、ＰＣ５は、Ｓ２３０にて、予備装置９を動作させて、その予備装置９に、ＢＳ−ＩＦから臨時のサービスＩＤ＝１０２の放送データを抽出させると共に、その放送データを、上記Ｃ１３とは異なり且つそれまで未使用であったＣＡＴＶ用チャンネル（ここでは“Ｃ２１“というチャンネル番号のＣＡＴＶ用チャンネルとする）の放送信号に変換して出力させる。そして更に、ＰＣ５は、Ｓ２４０の処理により、選局変換装置７−１から幹線１３へ出力されるＣ１３チャンネルの放送信号の映像部分に、例えば「ただ今、Ｃ２１チャンネルで野球中継を延長放送しています。」といった案内用映像をスーパーインポーズさせる。
【００７９】
そして、その後、図６の時刻ｔ２’にて、放送局Ａが臨時のサービスＩＤ＝１０２を削除すると、ＰＣ５は、Ｓ２５０にて、サービスＩＤ＝１０２の増設が解除されたことを検出し、Ｓ２６０にて、上記スーパーインポーズを止めると共に、予備装置９の動作を停止させる。つまり、予備装置９を動作させていなかった時刻ｔ２以前の状態に戻すこととなる。
【００８０】
また、上記追加番組対応処理の作用について、図７に例示したマルチビューテレビの場合を挙げて具体的に説明する。尚、ここでは、前述したように２つある予備装置９−１，９−２の両方が空いている（未使用状態である）ものとする。
まず、図７において、サービスＩＤ＝１０１の放送データの発信元が、放送局Ａであり、その放送局Ａが、時刻ｔ１１〜ｔ１２の間、２つのサブ番組ａ，ｂを夫々放送するためのデジタル放送チャンネルとして、サービスＩＤ＝１０１且つＰＩＤ＝５０２のチャンネルと、サービスＩＤ＝１０１且つＰＩＤ＝５０３のチャンネルを増設したとする。
【００８１】
また、ヘッドエンド１では、例えば、選局変換装置７−１が、ＢＳ−ＩＦからサービスＩＤ＝１０１且つＰＩＤ＝５００の放送データを抽出し、その放送データを“Ｃ１３“というチャンネル番号のＣＡＴＶ用チャンネルのテレビ放送信号に変換して出力しているものとする。
【００８２】
この場合、図７の時刻ｔ１１にて、放送局Ａが、サービスＩＤ＝１０１且つＰＩＤ＝５０２のチャンネルと、サービスＩＤ＝１０１且つＰＩＤ＝５０３のチャンネルとを増設すると、ヘッドエンド１のＰＣ５では、選局変換装置７−１を処理対象とする追加番組対応処理のＳ２２０にて、最新のＰＡＴに基づき、それら２つのチャンネルが増設されたことを検出する。
【００８３】
そして、ＰＣ５は、Ｓ２３０にて、一方の予備装置９−１に、ＢＳ−ＩＦからサービスＩＤ＝１０１且つＰＩＤ＝５０２の放送データを抽出させると共に、その放送データを、上記Ｃ１３とは異なり且つそれまで未使用であったＣＡＴＶ用チャンネル（ここでは“Ｃ２１“というチャンネル番号のＣＡＴＶ用チャンネルとする）の放送信号に変換して出力させる。そして更に、ＰＣ５は、他方の予備装置９−２に、ＢＳ−ＩＦからサービスＩＤ＝１０１且つＰＩＤ＝５０３の放送データを抽出させると共に、その放送データを、上記Ｃ１３，Ｃ２１とは異なり且つそれまで未使用であったＣＡＴＶ用チャンネル（ここでは“Ｃ２２“というチャンネル番号のＣＡＴＶ用チャンネルとする）の放送信号に変換して出力させる。
【００８４】
尚、このマルチビューテレビの場合、ＰＣ５は、時刻ｔ１１〜ｔ１２の間、選局変換装置７−１が、サービスＩＤ＝１０１且つＰＩＤ＝５０１のメインチャンネルの放送データをＢＳ−ＩＦから抽出するように、設定を変更する。つまり、選局変換装置７−１のＣＰＵ２１へ指示する受信対象ＩＤを、サービスＩＤ＝１０１且つＰＩＤ＝５００から、サービスＩＤ＝１０１且つＰＩＤ＝５０１に変更する。これは、前述したように、図７の例では、時刻ｔ１１〜ｔ１２における複数のＰＩＤのうち、番号が一番小さいもの（＝５０１）が、それまでのデフォルトのＰＩＤ（＝５００）に相当するメインチャンネルに該当するからである。
【００８５】
そして更に、ＰＣ５は、Ｓ２４０の処理により、選局変換装置７−１から幹線１３へ出力されるＣ１３チャンネルの放送信号の映像部分に、例えば「ただ今、Ｃ２１チャンネルで１７番ホールの状況を放送しており、Ｃ２２チャンネルで１８番ホールの状況を放送しています。」といった案内用映像をスーパーインポーズさせる。
【００８６】
そして、その後、図７の時刻ｔ１２にて、放送局Ａが、サービスＩＤ＝１０１且つＰＩＤ＝５０２と、サービスＩＤ＝１０１且つＰＩＤ＝５０３とを削除して、サービスＩＤ＝１０１且つＰＩＤ＝５００だけの初期状態に戻すと、ＰＣ５は、そのことをＳ２５０で検出し、次のＳ２６０にて、上記スーパーインポーズを止めると共に、２つの予備装置９−１，９−２の動作を停止させ、更に、選局変換装置７−１がサービスＩＤ＝１０１且つＰＩＤ＝５００の放送データをＢＳ−ＩＦから抽出する元の設定に戻す。つまり、予備装置９を動作させていなかった時刻ｔ１１以前の状態に戻すこととなる。
【００８７】
以上のように本実施例のヘッドエンド１では、選局変換装置７−１〜７−ｎに異常が無くて、予備装置（予備の選局変換装置）９が故障時バックアップ用として用いられていない場合には、その予備装置９を、臨時サービスの番組やマルチビューテレビのサブ番組といった追加番組をＣＡＴＶシステムで放送するために用いるようにしている。よって、このヘッドエンド１によれば、選局変換装置７を特別に増設することなく、臨時サービスやマルチビューテレビによる追加番組をＣＡＴＶシステムの加入者に提供することができ、加入者に対するサービスを向上させることができる。
【００８８】
尚、上記実施例では、選局変換装置７−１〜７−ｎが選局変換手段に相当し、予備装置９が予備選局変換手段に相当している。そして、ＰＣ５が実行する処理のうち、付加情報記憶処理と図５のＳ２２０の処理とが検出手段に相当し、図５のＳ２３０の処理が制御手段に相当し、図５のＳ２４０の処理が案内手段に相当している。
【００８９】
また、上記実施例のヘッドエンド１では、ＰＣ５が、選局変換装置７−１〜７−ｎの何れかからＣＡＴＶシステム用の放送信号が正常に出力されていないと判定すると（Ｓ１２０：ＮＯ）、その時に取得している最新の番組情報を解析して、その選局変換装置がＣＡＴＶシステム用の放送信号に変換しているＩＤの放送自体が無ければ、異常とは判定せず（Ｓ１６０：ＮＯ）、そのＩＤの放送が放送中であれば、本当に選局変換装置が異常であると判定して、異常と判定するようにしている（Ｓ１６０：ＹＥＳ）。
【００９０】
このため、本実施例のヘッドエンド１によれば、食の影響や深夜などにおいて、放送局からの、あるＩＤ（デジタル放送チャンネル）の放送自体がなくなった場合に、そのＩＤに対応するＣＡＴＶシステム用の放送信号を出力していた選局変換装置７−１〜７−ｎが誤って異常と判定されてしまうことがなく、システムの異常を正確に検出することができる。しかも、本実施例のヘッドエンド１では、デジタル放送信号に含まれている番組情報を用いているため、最新の番組情報を人の手によってセットしてやる必要もない。よって、確実な異常判定を手間なく実現することができる。
【００９１】
また更に、本実施例のヘッドエンド１では、ＰＣ５が前述した図４におけるＳ１７０の判定を行っているため、選局変換装置７−１〜７−ｎ内の異常箇所も、ある程度特定することができ、保守作業が容易となる。
以上、本発明の一実施例について説明したが、本発明は上記実施例に限定されるものではなく、種々の態様を採ることができる。
【００９２】
例えば、選局変換装置７−１〜７−ｎは、複数ではなく１つのみでも良い。また、予備装置９は、２つに限らず例えば１つのみでも良い。
また、各選局変換装置７−１〜７−ｎの変調部３３での変調方式は、適用されるＣＡＴＶシステムの形態に合ったものであれば良く、チューナ３５は、その変調部３３の変調方式に合ったものであれば良い。つまり、チューナ３５は、各選局変換装置７−１〜７−ｎの変調部３３から出力される信号を夫々選局して、その信号が正常なテレビ放送信号であるか否かを確認できる構成のものであれば良い。
【００９３】
一方、本発明は、ＢＳデジタル放送に限らず、通信衛星（ＣＳ）を用いたＣＳデジタル放送や、人工衛星を介さない地上波デジタル放送に対しても、全く同様に適用することができる。
【図面の簡単な説明】
【図１】  実施例のＣＡＴＶシステムのヘッドエンドの構成を表す構成図である。
【図２】  図１の各選局変換装置及び予備装置の構成を表すブロック図である。
【図３】  図１のチューナの構成を表すブロック図である。
【図４】  実施例のヘッドエンドに設けられたＰＣで実行される異常監視処理を表すフローチャートである。
【図５】  実施例のヘッドエンドに設けられたＰＣで実行される追加番組対応処理を表すフローチャートである。
【図６】  デジタル放送における臨時サービスを説明する説明図である。
【図７】  デジタル放送におけるマルチビューテレビを説明する説明図である。
【符号の説明】
１…ヘッドエンド、３…アンテナ、３ａ…反射鏡、３ｂ…支持腕、３ｃ…受信部、５…ＰＣ（パーソナルコンピュータ）、７−１〜７−ｎ…選局変換装置、９…予備装置（予備の選局変換装置）、１１…分配回路、１３…幹線、１５…混合出力回路、１７…ＲＳ２３２Ｃケーブル、１９…信号変換器、２０…ＵＳＢケーブル、２１…ＣＰＵ（マイクロコンピュータ）、２３…チューナモジュール、２５…ＣＡデスクランブル部、２７…ＭＰＥＧ２デマルチプレクサ、２９…アナログ映像信号生成部、３１…アナログ音声信号生成部、３２…ＯＳＤ制御部（オンスクリーンディスプレイ制御部）、３３…変調部、３５…チューナ、３７…分岐回路、３９…選局部、４１…同期信号検出部、４３…ＶＨＦアンテナ、４５…ＵＨＦアンテナ、４７…混合器
【図１】
0004515602.tif 000002
【図２】
0004515602.tif 000003
【図３】
0004515602.tif 000004
【図４】
0004515602.tif 000005
【図５】
0004515602.tif 000006
【図６】
0004515602.tif 000007
【図７】
0004515602.tif 000008